(57)【要約】【課題】本考案は、デスクやテーブルなどに前額部を載せて仮眠したり、休憩したりする場合に好適であり、かつ、携行性に優れたおでこ枕を提供する。【解決手段】机やデーブルの上に置いて使用する枕であって、前額部を載せるに十分な長さと幅を有するカバー内に上層が低反発弾性フォーム材、下層が硬質又は半硬質フォーム材からなるクッション材を配設し、かつ、枕の厚みが使用状態でないときは３０〜４０ｍｍの範囲であり、使用状態においては２０〜２５ｍｍの範囲であり、さらに、カバーの全体又は表側が軟質ビニール、合成皮革又は革製の生地或いはビニール引き布地から縫製されていることを特徴とする。【選択図】図１
0003138885.tif 000002
【実用新案登録請求の範囲】
【請求項１】
デスクやデーブルの上に置いて使用する枕であって、前額部を載せるに十分な長さと幅を有するカバー内に上層が低反発弾性フォーム材、下層が硬質又は半硬質フォーム材からなるクッション材を配設したことを特徴とするおでこ枕。
【請求項２】
前記おでこ枕の厚みが使用状態でないときは３０〜４０ｍｍの範囲であり、かつ、使用状態においては２０〜２５ｍｍの範囲であることを特徴とする請求項１記載のおでこ枕。
【請求項３】
前記カバーの全体又は表側が軟質ビニール、合成皮革又は革製の生地或いはビニール引き布地から縫製されていることを特徴とする請求項１又は２記載のおでこ枕。
【請求項４】
請求項１又は２又は３に記載のおでこ枕が、デスク又はテーブルの上でパソコンを操作する腕のリストレストとして用いることができることを特徴とする。
【考案の詳細な説明】
【技術分野】
【０００１】
本考案は、卓上用枕、詳しくはデスクやテーブルなどに前額部を載せて仮眠したり、休憩したりする場合に好適であり、かつ、携行性に優れた枕に関するものである。    
【背景技術】
【０００２】
最近、ネットカフェやオフィスのデスクやテーブルで、デスクワークの能率低下の防止のため、或いは、健康維持の点から休憩時間に仮眠を取る人が増えている。この場合、体を横にして休めるケースは特別な場合を除いて少なく、デスクやテーブルにうつぶせした姿勢で仮眠をとったり、又は休むことが多い。このときに、両腕を曲げて枕代わりにすると、いわゆる手枕をすると、腕がしびれるなどの腕の疲れや首の疲れが生じる問題があった。これらに対応するために、デスク上で使用するが、腕や首の疲れが残らない卓上枕の先行技術が開示されている（例えば、特許文献１参照）。
【特許文献１】実用新案登録第３０７４６８５号公報（〔０００５〜０００７〕、〔図６〕、〔図８〕）
【考案の開示】
【考案が解決しようとする課題】
【０００３】
先行技術の考案は腕が疲れない点では優れているが、枕が大きいために、呼吸するには顔を横向きにする必要があり、本来の姿勢でないだけに首の疲れが生じたり、顔の向きを変えたりするなどの違和感が生じることも多々あった。また、うつぶせ時でも呼吸ができるＵ型やＯ型の形状の枕もあるが、いずれもサイズが顔や頭より大きくて、携帯し難いとか、限られたスペースでは収納できないという点で問題がああった。さらに、オフィスに、かかる大きさの枕を置くのは人目もあり抵抗感が大きかった。また、眼鏡を掛けている人は眼鏡を外して仮眠する必要があるので、この眼鏡をデスクから落としたり、書類などデスク周りの備品に紛れ込んだりする不便さも多かった。また、これらの枕をうつぶせに使ったときには、アイシャドウや口紅などの化粧が落ちやすく、休憩時間内の限られた時間に化粧直しの時間を割く必要があった。また、枕やクッション自体に皮脂やファンデーションが付着するなど汚れやすく、かつ不衛生であった。
【０００４】
本考案は、前述の問題を解決するために完成させたものであって、デスクやテーブルなどに前額部（おでこ）を載せて仮眠したり、休憩したりする場合に好適に用いられ、かつ、携行性に優れているおでこ枕を提供するものである。
【課題を解決するための手段】
【０００５】
上記の目的を達成するための本考案の請求項１に係るおでこ枕は、デスクやデーブルの上に置いて使用する枕であって、前額部を載せるに十分な長さと幅を有するカバー内に上層が低反発弾性フォーム材、下層が硬質又は半硬質フォーム材からなるクッション材を配設したことを特徴とする。
【０００６】
また、請求項２に係るおでこ枕は、請求項１記載のおでこ枕において、前記おでこ枕の厚みが使用状態でないときは３０〜４０ｍｍの範囲であり、かつ、使用状態においては２０〜２５ｍｍの範囲であることを特徴とする。
【０００７】
本考案のおでこ枕のサイズは、前額部（「おでこ」又は「額」とも称される。）を載せる大きさがあれば使用に問題なく、さらに携帯し易く、またデスク周りに収納し易いＡ５判の辞書サイズからＡ６判の文庫本サイズが好適である。また、おでこ枕の厚みについては、額を載せてうつぶせた時に、口や鼻がデスクに接触して呼吸し難く感じない厚みが求められ、具体的には枕に何も載せない状態で厚みが３０〜４０ｍｍ、額を載せて沈み込んだ使用状態で厚みが２０〜２５ｍｍであるのが好適である。すなわち、額とデスクの隙間寸法が２０〜２５ｍｍであれば、口や鼻がデスクに接触しないので、息苦しさを感じないし、また、眼鏡を掛けていても眼鏡がデスクに接触するこ不都合さがない。
【０００８】
また、本考案のおでこ枕は、枕内部がほぼ同じ厚さの二層のクッション材が装入されており、上層は額を載せる側のクッション材であり、額を載せたときに硬くなく、額の位置が安定して包み込む感じの低反発弾性フォーム材が好ましく、そして下層はデスクなどに載せる側のクッション材であり、頭の重さで沈み込んで口や鼻がデスクに接触しないような程度の硬い材質が適し、硬質又は半硬質フォーム材が適している。上層の低反発弾性フォーム材としては、連通気泡の発泡体であって、圧縮したのちに外力を取り除いた際、ゆっくりと元の状態に戻る性質を有する低反発弾性ポリウレタンフォームが好適である。また、下層の硬質又は半硬質フォーム材は、独立気泡で硬くて復元性が無いか、又は若干有するポリウレタンフォームが適している。
【０００９】
また、請求項３に係るおでこ枕は、請求項１又は２記載のおでこ枕において、前記カバーの全体又は表側が軟質ビニール、合成皮革又は革製の生地或いはビニール引き布地から縫製されていることを特徴とする。この構成によれば、額を直接載せたときに、適度にソフトで痛くなく、カバー自身が織布でないので、皮脂、ファンデーション、アイシャドウ又は口紅が付着しにくく、付着しても簡単に拭き取ることができる。
【００１０】
また、請求項４に係るおでこ枕は、請求項１又は２又は３に記載のおでこ枕がデスク又はテーブルの上でパソコンを操作する腕のリストレストとして用いることができることを特徴とする。この構成によれば、おでこ枕として使用しないときは、パソコン作業等のデスクワークでリストレストとして、そのサイズやクッション性が適しているので、活用できる。また、仕事上の備品として使えば、枕としてよりも、周りの目も気にせずに済むから所持しやすい。
【考案の効果】
【００１１】
本考案に係る請求項１〜３記載のおでこ枕によれば、人体の部分でも重量の大きい頭の部分を、硬度が高くて強い前額部により低反発弾性を持つおでこ枕を介して支持することにより、違和感無く休憩又は仮眠することができる。また、腕で頭を支える必要がなく腕のしびれや痛みが軽減でき、口や鼻、目がデスクや枕と接触しないので、呼吸の妨げにならず、しかも眼鏡を掛けたままでも使うことができるなど、休憩又は仮眠を取ることが容易で、作業効率の向上又は健康維持の点で好適に用いることができる。
【００１２】
また、用途の拡大として、パソコン作業等のデスクワークでリストレストとしても使用できる。よって、事務所の備品としても使え、使用後はブックスタンドやデスクの引き出し、バックに収納できるし、携帯性に優れているのでネットカフェなど外出先で仮眠するときにも重宝して使用できる。また、口紅やアイシャドウなどの化粧も落ちにくいので、化粧直しも従来の枕やクッションを使うときに比べ短時間で済み、休憩後すぐに仕事につけるので、限られた休憩時間を有効に使うことができる。
【考案を実施するための最良の形態】
【００１３】
以下、本考案の実施形態を図面に基づいて説明する。図１は、本考案に係るおでこ枕の最良の実施形態であって、（ａ）は模式的平面図、（ｂ）は（ａ）のＡ−Ａ矢視の断面図である。図２は、本考案に係るおでこ枕を使用した実施形態の一つであって、（ａ）はおでこ枕を使用した状態の模式的斜視図、（ｂ）は（ａ）のＢ矢視の模式的側面図である。
【００１４】
図１、２に基づいて、本考案に係わるおでこ枕１を説明すると、おでこ枕１は、デスク１２の上に置いて使用する枕１であって、人の頭部１０の前額部１２を載せるに十分な長さと幅を有するカバー２内に上層が低反発弾性フォーム材３、下層が硬質又は半硬質フォーム材４からなるクッション材を配設している。
【００１５】
また、おでこ枕１のサイズは、前額部１１（「おでこ」又は「額」とも称される。）を載せる大きさがあればよく、携帯し易く、またデスク周りに収納し易いＡ５判（１４８×２１０ｍｍ）の辞書サイズからＡ６判（１０５×１４８ｍｍ）の文庫本サイズが好適である。また、おでこ枕１の厚みについては、図２（ｂ）に示すように、額１１を載せてうつぶせた時に、口や鼻がデスクに接触して呼吸し難く感じない厚みがよく、具体的には図１（ｂ）に示すように、枕１に何も載せない状態で厚みが３０〜４０ｍｍ、図２（ｂ）に示すように、額１１を載せて沈み込んだ使用状態で厚みが２０〜２５ｍｍであるのが好適である。すなわち、額１１とデスク１２の隙間寸法が２０〜２５ｍｍであれば、口や鼻がデスクに接触しないので、息苦しさを感じないし、また、眼鏡を掛けていても眼鏡がデスクに接触するこ不都合さがない。
【００１６】
また、おでこ枕１は、枕内部がほぼ同じ厚さの二層のクッション材（３、４）が装入されており、上層３は額１１を載せる側のクッション材であり、額１１を載せたときに硬くなく、額１１の位置が安定して包み込む感じの低反発弾性フォーム材３が好ましく、下層４はデスク１２などに載せる側のクッション材であり、頭１０の重さで沈み込んで口や鼻がデスクに接触しないような程度の硬い材質が適し、硬質又は半硬質フォーム材４が適している。上層の低反発弾性フォーム材３としては、連通気泡の発泡体であって、圧縮したのちに外力を取り除いた際、ゆっくりと元の状態に戻る性質を有する低反発弾性ポリウレタンフォームが好適である。また、下層の硬質又は半硬質フォーム材４は、独立気泡で硬くて復元性が無いか、又は若干有するポリウレタンフォームが適している。
【００１７】
また、おでこ枕１は、カバーの全体２又は表側２ａが軟質ビニール、合成皮革又は革製の生地或いはビニール引き布地から縫製されている。額１１を直接載せたときに、適度にソフトで痛くなく、カバー２ａ自身が織布でないので、皮脂、アイシャドウ又は口紅が付着しにくく、付着しても簡単に拭き取ることができる。
【００１８】
また、おでこ枕１は、デスク１２の上でパソコンを操作する腕のリストレスト(図示しない)として用いることができる。おでこ枕１として使用しないときには、パソコン作業等のデスクワークでリストレストとして、そのサイズやクッション性が適しているので、活用できる。また、仕事上の備品として使えば、枕１としてよりも、周りの目も気にせずに済むから所持しやすい
【００１９】
また、図２を用いておでこ枕１を使用する状況を説明すると、おでこ枕１によれば、人体の部分でも重量の大きい頭１０の部分を、硬度が高くて強い前額部１１により低反発弾性フォーム材３を持つおでこ枕１を介して支持することにより、違和感が無く休憩又は仮眠することができる。また、腕で頭１０を支える必要がなく腕のしびれや痛みが軽減でき、口や鼻、目がデスク１２や枕１と接触しないので、呼吸の妨げにならず、しかも眼鏡を掛けたままでも使うことができるなど、休憩又は仮眠を取ることが容易で、作業効率の向上又は健康維持の点で好適に用いることができる。
【００２０】
また、用途の拡大として、パソコン作業等のデスクワークでリストレストとしても使用できる。よって、事務所の備品としても使え、使用後はブックスタンドやデスクの引き出し、バックに収納できるし、携帯性に優れているのでネットカフェなど外出先で仮眠するときにも重宝して使用できる。また、口紅やアイシャドウなどの化粧も落ちにくいので、化粧直しも従来の枕やクッションを使うときに比べ短時間で済み、休憩後すぐに仕事につけるので、限られた休憩時間を有効に使うことができる。
【産業上の利用可能性】
【００２１】
デスクやテーブルを使う事務職労働者が休憩又は仮眠する際の補助具として利用され、又は、パソコン操作する際のリストレストとして事務職労働者が利用することができる。
【図面の簡単な説明】
【００２２】
【図１】本考案に係るおでこ枕の最良の実施形態であって、（ａ）は模式的平面図、（ｂ）は（ａ）のＡ−Ａ矢視の断面図である。
【図２】本考案に係るおでこ枕を使用した実施形態の一つであって、（ａ）はおでこ枕を使用した状態の模式的斜視図、（ｂ）は（ａ）のＢ矢視の模式的側面図である。
【符号の説明】
【００２３】
１：おでこ枕      ２：カバー      ２ａ：表側カバー    ２ｂ：裏側カバー
３：低反発弾性フォーム材          ４：硬質又は半硬質フォーム材        
１０：頭部        １１：前額部        １２：デスク
【図１】
0003138885.tif 000003
【図２】
0003138885.tif 000004